(57)【要約】【課題】橋梁床版の遊間における床版間舗装部の亀裂発生に起因する漏水を有効に防止し、遊間を通しての下方への漏水を有効に防止する橋梁床版の遊間における伸縮継手構造を提供する。  【解決手段】床版１，２の遊間３を跨ぐ床版間舗装部４′の表面に橋幅方向に延在する目地溝５を橋長方向に間隔を置いて複数条設け、該各目地溝５の深さを上記床版間舗装部４′の厚みの中央部付近に達する深さに設定して目地溝５底部下に床版間舗装部４′の薄肉接合部６を形成し、上記各目地溝５の形成により床版間舗装部４′を複数の舗装ブロック４ａに区画し、該各目地溝５内に弾性シール材７を目地込めした構成を有する橋梁床版の遊間における伸縮継手構造。【選択図】        図２
2005299256.tif 000002
【特許請求の範囲】
【請求項１】
床版の遊間を跨ぐ床版間舗装部の表面に橋幅方向に延在する目地溝を橋長方向に間隔を置いて複数条設け、該各目地溝の深さを上記床版間舗装部の厚みの中央部付近に達する深さに設定して目地溝底部下に床版間舗装部の薄肉接合部を形成し、上記各目地溝の形成により床版間舗装部を複数の舗装ブロックに区画し、該各目地溝内に弾性シール材を目地込めしたことを特徴とする橋梁床版の遊間における伸縮継手構造。
【請求項２】
上記床版間舗装部内に上記薄肉接合部を通る平網材を埋設したことを特徴とする請求項１記載の橋梁床版の遊間における伸縮継手構造。
【請求項３】
上記弾性シール材はその流動材を上記目地溝内に充填し硬化したものであることを特徴とする請求項１記載の橋梁床版の遊間における伸縮継手構造。
【請求項４】
上記複数条の目地溝は床版の遊間と相対する位置に配置した遊間上目地溝と、該遊間上目地溝を境に左右に配置された床版上目地溝から成ることを特徴とする請求項１記載の橋梁床版の遊間における伸縮継手構造。
【請求項５】
上記遊間を形成する一方の床版の端部上面と他方の床版の端部上面に段落ちスペースを連成し、上記床版間舗装部を形成する舗装材を該段落ちスペースに充填して底層舗装部を形成し、該底層舗装部の形成により床版間舗装部の厚みをこれに連続する舗装部より肉厚にしたことを特徴とする請求項１記載の橋梁床版の遊間における伸縮継手構造。
【請求項６】
上記段落ちスペースの上部開口面を覆う位置に平網材を配置して床版間舗装部内に埋設したことを特徴とする請求項５記載の橋梁床版の遊間における伸縮継手構造。
【発明の詳細な説明】
【技術分野】
【０００１】
本発明は橋梁の床版の遊間を跨ぐ床版間舗装部における伸縮継手構造に関する。
【背景技術】
【０００２】
特許文献１は遊間を挟んで対向する橋梁床版端部の切り欠き部に複合材層を舗装層と面一に敷設し、該複合材層中にゴムメッシュを遊間を跨いで埋設した伸縮継手構造を開示している。上記複合材層はゴムチップ、硅砂、バインダーから成り、複合材層に続く上記舗装層に比べ伸縮弾性を富有する舗装材を用いている。
【特許文献１】特許第３３７１１０２号公報
【発明の開示】
【発明が解決しようとする課題】
【０００３】
一般に床版端部の遊間を跨いで舗装を施す場合、遊間を跨ぐ舗装に亀裂が発生し易く、該亀裂からの漏水防止が最大の課題となっており、その補修に多大なコストをかけている現状にある。
【０００４】
上記特許文献１の如く、床版端部の遊間を跨ぐ部分に弾性を富有する複合材層で舗装する方法によっても、床版並びに舗装の伸縮に起因する上記亀裂の問題は解消し難く、漏水防止手段としては充分な効果を期待することができない。
【課題を解決するための手段】
【０００５】
本発明は上記漏水問題を有効に解決する中小橋梁の床版間における伸縮継手構造を提供するものである。
【０００６】
その手段として床版の遊間を跨ぐ床版間舗装部の表面に橋幅方向に延在する目地溝を橋長方向に間隔を置いて複数条設け、該各目地溝の深さを上記床版間舗装部の厚みの中央部付近に達する深さに設定して目地溝底部下に床版間舗装部の薄肉接合部を形成し、上記各目地溝の形成により床版間舗装部を複数の舗装ブロックに区画し、該各目地溝内に弾性シール材を目地込めして成る伸縮継手構造を採用するものである。
【０００７】
上記目地溝及び弾性シール材は床版間舗装部を小面積の舗装ブロックに区画して該舗装ブロックの伸縮を緩和すると同時に、シール材の弾性により同伸縮を吸収し、更には上記目地溝底部の薄肉接合部に伸縮による亀裂を積極的に誘発して同伸縮を吸収し、該亀裂からの漏水を上記弾性シール材にて防止する。
【０００８】
又上記床版間舗装部内に上記薄肉接合部を通る平網材を埋設し、上記各舗装ブロックを連結して床版間舗装部の強度を向上すると共に、上記亀裂の拡大を防止する。
【０００９】
又上記弾性シール材はその流動材を上記目地溝内に充填し硬化して目地溝内面に強固に且つ均一に密着せしめる。
【００１０】
又上記弾性シール材を目地込めした複数条の目地溝は床版の遊間と相対する位置に配置した遊間上目地溝と、該遊間上目地溝を境に左右に配置された床版上目地溝から成り、遊間上目地溝に目地込めした弾性シール材により遊間における顕著な伸縮を吸収する。
【００１１】
又上記遊間を形成する一方の床版の端部上面と他方の床版の端部上面に段落ちスペースを連成し、上記床版間舗装部を形成する舗装材を該段落ちスペースに充填して底層舗装部を形成し、該底層舗装部の形成により床版間舗装部の厚みをこれに連続する舗装部より肉厚にし、床版間舗装部の表面から底面に達する亀裂発生を抑止する。
【００１２】
又上記平網材は上記段落ちスペースの上部開口面を覆う位置に配置して床版間舗装部内に埋設し、底層舗装部への亀裂の進行をより有効に防止する。
【００１３】
又上記弾性シール材を目地込めした床版上目地溝中、最外端の床版上目地溝は上記段落ちスペース基端の立ち上がり面と対応する位置に配置し、上記底層舗装部を形成した肉厚の床版間舗装部とこれに続く薄肉の舗装間における亀裂発生を有効に抑止する。従って段落ちスペースの設置区間内に弾性シール材を目地込めした目地溝の設置区間を設定する。
【発明の効果】
【００１４】
以上の床版の遊間における伸縮継手構造によって床版間舗装部の亀裂発生が有効に防止され、又亀裂が発生する場合でも該亀裂は弾性シール材下に限定され、遊間を通しての下方への漏水を有効に防止することができる。  
【発明を実施するための最良の形態】
【００１５】
以下本発明を実施するための最良の形態を図１乃至図６に基づいて説明する。
【００１６】
図１乃至図５において、１，２はその端部を遊間３を介して橋脚上に支持した床版であり、該床版１，２上面には舗装４が施されている。
【００１７】
図１に示すように、上記床版１，２端部の遊間３を跨ぐ床版間舗装部４′の表面に橋幅方向に延在する目地溝５を橋長方向に間隔を置いて複数条設ける。
【００１８】
好ましくは上記目地溝５は図５に示すように、舗装４の橋幅方向の端辺に達する連続した溝で形成し、その断面形状は矩形とする。
【００１９】
上記目地溝５はカッターを用いて上記床版間舗装部４′の表面に切り込みを入れ形成するか、又は舗装材を打設して舗装４を形成する時に仕切り板を舗装材内に入れ込み成形し、舗装材硬化後仕切り板を除去する。
【００２０】
上記舗装材は例えばアスファルトと、砂、砕石等を加熱混合した、所謂アスファルト舗装材である。又はセメントと砂と砕石（砂利）等を混合した、所謂コンクリート舗装材である。
【００２１】
上記床版間舗装部４′はこれら連続打ちしたアスファルト舗装４の一部、又はコンクリート舗装４の一部で形成する。然しながら床版間舗装部４′を特許文献１に示すように、ゴムチップと砂とアスファルトを加熱混合したゴムアスファルト舗装材等の伸縮弾性を富有する複合材層にて形成することを妨げない。
【００２２】
而して前記のように上記床版間舗装部４′の表面に複数条の目地溝５を形成し、該各目地溝５の深さを上記床版間舗装部４′の厚みの中央部付近に達する深さに設定して目地溝５底部下に床版間舗装部４′の薄肉接合部６を形成すると共に、上記各目地溝５の形成により床版間舗装部４′を複数の舗装ブロック４ａに区画する。
【００２３】
そして図２に示すように、上記各目地溝５内に弾性シール材７を目地込めし伸縮継手構造を形成する。
【００２４】
上記弾性シール材７としてはシリコン、ポリサルファイド、ポリウレタン等の建物の隙間の封止に用いられている既知のシーリング材（コーキング材）の適用が可能である。
【００２５】
上記弾性シール材７の流動材を上記目地溝５内に充填し硬化して目地溝５内面に強固に且つ均一に密着せしめる。弾性シール材７の流動材はアスファルト舗装４の目地溝５内面の表層に浸透して、又はコンクリート舗装４の目地溝５内面の表層に浸透して目地溝５内壁に強固に結合する。
【００２６】
又は図６に示すように、棒状の圧縮弾性を有するゴム又は合成樹脂製シール材７を上記目地溝内に圧縮しつつ目地込めし、目地溝５内面に接着材１２にて結合する。即ち棒状のシール材７の短手幅を目地溝５の短手幅より広幅にし、該広幅分だけ圧縮しながら目地溝５内に圧入し、接着材１２にて結合する。
【００２７】
上記目地溝５及び弾性シール材７は床版間舗装部４′を小面積の舗装ブロック４ａに区画して該舗装ブロック４ａの伸縮を緩和する。同時にシール材７の弾性により同伸縮を吸収し、更には過度の伸縮に対しては上記目地溝５底部の薄肉接合部６に同伸縮による亀裂８を積極的に誘発して同伸縮を吸収し、目地溝５間における舗装ブロック４ａにおける亀裂８発生を防止する。雨水は上記弾性シール材７にて遮断され、目地溝５下の亀裂８への漏水は防止される。
【００２８】
図２，図３，図４に示すように、上記床版間舗装部４′内には上記薄肉接合部６内を通る平網材９を床版間舗装部４′の略全域に亘り埋設し、上記各舗装ブロック４ａを連結して床版間舗装部４′の強度を向上すると共に、上記亀裂８の拡大を防止する。
【００２９】
上記平網材９としては合成樹脂製網材又は金属製網材を適用する。好ましくは合成樹脂線材又は金属製線材を編成して成る編成網材を用いる。これら編成網材９は編成による凹凸を有し、舗装材との結合が良好である他、伸縮性と可撓性に富み適性である。
【００３０】
又上記弾性シール材７を目地込めした複数条の目地溝５は床版１，２の遊間３と相対する位置に配置した遊間上目地溝５ａと、該遊間上目地溝５ａを境に左右に配置された、好ましくは左右対称に配置された各複数条の床版上目地溝５ｂから成り、上記遊間上目地溝５ａに目地込めした弾性シール材７により遊間３における比較的顕著な伸縮を吸収する。
【００３１】
又上記遊間３を形成する一方の床版１の端部上面と他方の床版２の端部上面に段落ちスペース１０を連成し、上記床版間舗装部４′を形成する舗装材を該段落ちスペース１０に充填して底層舗装部４ｂを形成し、該底層舗装部４ｂの形成により床版間舗装部４′の厚みをこれに連続する舗装部より肉厚にし、床版間舗装部４′の表面から底面に達する亀裂８の発生を抑止する。
【００３２】
上記底層舗装部４ｂは床版間舗装部４′と同様のアスファルト舗装材、又はコンクリート舗装材を充填して形成する。又は底層舗装部４ｂを有する床版間舗装部４′全体を特許文献１に示すように、ゴムチップと砂とアスファルトを加熱混合したゴムアスファルト舗装材等の伸縮弾性を富有する複合材層にて形成することを妨げない。
【００３３】
又は段落ちスペース１０の底部に発泡ウレタンの如き合成樹脂発泡材を内填することができる。この合成樹脂発泡材は段落ちスペース１０内において現場で発泡せしめ内填する。
【００３４】
又好ましい例示として図４に示すように、上記底層舗装部４ｂを上記伸縮弾性を富有する複合材層にて形成し、該複合材層から成る底層舗装部４ｂの上面に舗装４と同じ舗装材から成る上記ゴムアスファルト舗装材又はコンクリート舗装材を充填して上層舗装部４ｃを形成し床版間舗装部４′を二層構造とする。そして床版間舗装部４′の上層舗装部４ｃに上記目地溝５を形成する。
【００３５】
又上記平網材９は上記段落ちスペース１０の上部開口面を覆う位置に配置して床版間舗装部４′内に埋設し、底層舗装部４ｂへの亀裂８の進行をより有効に防止する。該平網材９は橋長方向の両端辺を段落ちスペース１０の橋長方向の両端の立ち上がり面１１上端の床版１，２上面に支持する。上記目地溝５は該平網材９に達しないか、達する深さに設定し、該目地溝５下の薄肉接合部６内に平網材９を床版間舗装部４′の略全域に亘って埋設する。
【００３６】
前記の通り、弾性シール材７を目地込めした中央の目地溝５は遊間３上に配置すると共に、上記弾性シール材７を目地込めした床版上目地溝５ｂ中、橋長方向最外端の床版上目地溝５ｂは上記段落ちスペース１０基端の立ち上がり面１１と対応する位置に配置し、上記底層舗装部４ｂを形成した肉厚の床版間舗装部４′とこれに続く薄肉の舗装４間における亀裂発生を有効に抑止する。即ち厚肉の床版間舗装部４′とこれに連続する薄肉の舗装４の境目に上記最外端の目地溝５を配設する。上記の通り、弾性シール材７を目地込めした目地溝５群の設置区間Ｗを段落ちスペース１０の設置区間内に設定する。
【００３７】
更に上記遊間３を閉鎖する手段について説明すると、図１乃至図３に示すように、上記遊間３を挟んで左側と右側の段落ちスペース１０の底面上に可撓性を有する防水シート１３を敷設して遊間３を閉塞し、該遊間３を閉塞する防水シート中央部を遊間３内にＵ形に撓曲し、伸縮を吸収する構造にする。
【００３８】
更に上記防水シート１３の上面に剛性を有する金属板又は合成樹脂板から成る荷重支持板１４を載設する。図２に示すように、該荷重支持板１４の橋長方向の両端面に接して発泡ウレタン、発泡スチロールの如き合成樹脂発泡材から成る緩衝材２１を配置し、床版１，２の伸縮に伴い該緩衝材２１を圧縮又は復元して荷重支持板１４を緩衝的に支持する。
【００３９】
上記段落ちスペース１０の内面の全面には上記防水シート１３及び荷重支持板１４、緩衝材２１を覆う塗布防水１５を施し、遊間３を防水シート１３と塗布防水１５にて封止する。
【００４０】
上記荷重支持板１４の一端側は一方の床版１の段落ちスペース１０の底面に支持し、他端側は他方の床版２の段落ちスペース１０の底面に支持し、その中央部にて上記遊間３を閉塞し、実施に応じ該荷重支持板１４の上面に補強板１６を橋幅方向に間隔を置き複数立設して床版間舗装部４′の底層舗装部４ｂ内に埋設し、亀裂防止効果を向上する。該補強板１６の高さ、即ち上端は平網材９の直下に達する。
【００４１】
又上記荷重支持板１４の下面中央部にストッパー１７を突設し、荷重支持板１４が橋長方向に遊動した場合に該ストッパー１７を床版１，２端面に当接し、それ以上の移動を防止する。
【００４２】
更に上記段落ちスペース１０の底面の橋長方向の両端には、更に段落ちする排水溝１８を橋幅方向に延設する。即ち段落ちスペース１０の橋長方向両端の立ち上がり面１１に沿い段落ちスペース１０の底面から更に段落ちする排水溝１８を橋幅方向に延設する。該排水溝１８の段落ちスペース１０の底面に連続する側面は斜面２０にし漏水の導入を案内する。
【００４３】
上記段落ちスペース１０を形成せずに、即ち床版１，２の上面を一平面上に形成し、該床版１，２の端部上面に上記排水溝１８を形成することができる。
【００４４】
上記排水溝１８内に多孔構造のドレーンパイプ１９を排水溝１８に沿って橋幅方向に延在するよう設置する。該ドレーンパイプ１９は既知の合成樹脂製又は金属製の多孔構造パイプを適用する。
【００４５】
上記防水シート１３はその橋長方向の両端辺を上記排水溝１８の一側面を覆うように設置し、上記塗布防水１５は該排水溝１８の内面（底面と側面）及び立ち上がり面１１を覆設し、上記ドレーンパイプ１９を該底面上の塗布防水１５の上面に設置する。
【００４６】
上記底層舗装部４ｂの舗装材は上記排水溝１８内に一体に充填され、上記ドレーンパイプ１９は上記底層舗装部４ｂ内に埋設される。該ドレーンパイプ１９は床版１，２の橋幅方向両端に達し、仮に床版間舗装部４′を通して雨水等が漏入した場合には、該漏水は上記塗布防水１５と防水シート１３で遮断しつつ上記排水溝１８内に導入され、更にドレーンパイプ１９を通して橋幅方向端部に導かれ橋外へ排水される。
【図面の簡単な説明】
【００４７】
【図１】橋梁床版の遊間における伸縮継手構造を示す断面図であり、床版間舗装部に目地溝を形成した状態を示す図。
【図２】上記橋梁床版の遊間における伸縮継手構造を示す断面図であり、上記床版間舗装部に形成した目地溝に弾性シール材を目地込めした状態を示す図。
【図３】上記橋梁床版の遊間における伸縮継手構造を示す断面図であり、上記床版間舗装部に形成した目地溝に弾性シール材を目地込めし、更に床版間舗装部に対応する段落ちスペースに排水溝を形成した状態を示す図。
【図４】上記橋梁床版の遊間における伸縮継手構造を示す断面図であり、上記床版間舗装部を二層構造にした例を示す図。
【図５】橋梁床版の遊間における伸縮継手構造の平面図。
【図６】Ａは上記目地溝に圧入される弾性シール材を圧入前の状態を以って示す断面図、Ｂは同圧入後の状態を以って示す断面図。
【符号の説明】
【００４８】
１，２…床版、３…遊間、４…舗装、４′…床版間舗装部、４ａ…舗装ブロック、４ｂ…底層舗装部、４ｃ…上層舗装部、５…目地溝、５ａ…遊間上目地溝、５ｂ…床版上目地溝、６…薄肉接合部、７…弾性シール材、８…亀裂、９…平網材、１０…段落ちスペース、１１…段落ちスペースの立ち上がり面、１２…接着材、１３…防水シート、１４…荷重支持板、１５…塗布防水、１６…補強板、１７…ストッパー、１８…排水溝、１９…ドレーンパイプ、２０…排水溝の斜面、２１…緩衝材、Ｗ…目地溝の設置区間。
【図１】
2005299256.tif 000003
【図２】
2005299256.tif 000004
【図３】
2005299256.tif 000005
【図４】
2005299256.tif 000006
【図５】
2005299256.tif 000007
【図６】
2005299256.tif 000008